(57)【要約】【課題】操作が便利であり、最良の使用寿命を有する多段階式スライドレール自動復位装置を提供する。【解決手段】スライドブロック１、スライド台２及びフック部品３を含む。外レール４と中レール５とが組合せ実施され、中レール５は外レール４においてスライドする。スライドブロック１は、側小突起、係合小突起、係合槽及びガードを含み、第一弾性部品を連結している。スライド台２は、固定部品、スライド槽及び定位切口を含む。外レールに４は、固定部品が設置されている。フック部品３は中レール５上に設置され、スライドブロック１に対応し、第一フック、第二フック、可動接続部及び第二弾性部品を含む。スライド台２は、定位切口により係合小突起を対応させて一時的に係合して定位する。【選択図】図１
0003120873.tif 000002
【実用新案登録請求の範囲】
【請求項１】
スライドブロック、スライド台及びフック部品を含み、外レールと中レールとが組合せ実施され、前記中レールは前記外レールにおいてスライドし、
前記スライドブロックは側小突起、係合小突起、係合槽及びガードを含み、第一弾性部品を連結し、前記スライド台は固定部品、スライド槽及び定位切口を含み、前記外レールは固定部品が対応設置され、これにより、前記スライド台は前記外レールの端部に固設され、前記スライドブロックは前記側小突起により前記スライド台のスライド槽内において嵌設スライドし、前記第一弾性部品は前記スライド台に設置され、これにより、前記スライドブロックは前記外レールの端部において引き戻され、前記スライド台は前記定位切口により前記スライドブロックの係合小突起を対応させて一時的に係合して定位し、前記フック部品は前記中レール上に設置され、前記スライドブロックに対応し、前記フック部品は第一フック、第二フック、可動接続部及び第二弾性部品を含み、前記可動接続部は前記中レールに可動接続し、前記第二弾性部品は前記第一フックと前記第二フックを常態下において前記スライドブロックの係合槽及びガードに対応して抵触させ、隣接するフック部品は前記中レール上において前記スライドブロックに抵触する突起片が設置されていることを特徴とする多段階式スライドレール自動復位装置。
【請求項２】
前記スライド台の固定部品は、小突起で、前記外レールの固定部品は嵌槽と制限片で、前記小突起は前記嵌槽に嵌入し、前記制限片下に係合することを特徴とする請求項１記載の多段階式スライドレール自動復位装置。
【請求項３】
前記スライド台の固定部品は、突起部で、前記外レールの固定部品は定位槽で、前記突起部は前記定位槽に嵌入することを特徴とする請求項１記載の多段階式スライドレール自動復位装置。
【請求項４】
前記スライド台の固定部品は、固定栓で、前記外レールの固定部品は固定孔で、前記固定栓は前記スライド台を貫通連接し、前記固定孔において定位することを特徴とする請求項１記載の多段階式スライドレール自動復位装置。
【請求項５】
前記スライド台の固定部品は、フック脚で、前記外レールの固定部品はフック槽で、前記フック脚は前記フック槽に係合することを特徴とする請求項１記載の多段階式スライドレール自動復位装置。
【請求項６】
スライドブロック、スライド台、フック部品及び内レール固定部品を含み、外レール及び中レールと内レールが組合せ実施され、前記中レールは前記外レールにおいてスライドし、前記内レールは前記中レール内において嵌設スライドし、
前記スライドブロックは側小突起、係合小突起、係合槽及びガードを含み、第一弾性部品を連結し、前記スライド台は固定部品、スライド槽及び定位切口を含み、前記外レールは固定部品が対応設置され、これにより、前記スライド台は前記外レールの端部に固設され、前記スライドブロックは前記側小突起により前記スライド台のスライド槽内において嵌設スライドし、前記第一弾性部品は前記スライド台に設置され、これにより、前記スライドブロックは前記外レールの端部において引き戻され、前記スライド台は前記定位切口により前記スライドブロックの係合小突起を対応させて一時的に係合して定位し、前記フック部品は前記中レール上に設置され、前記スライドブロックに対応し、前記フック部品は第一フック、第二フック、可動接続部及び第二弾性部品を含み、前記可動接続部は前記中レールに可動接続し、前記第二弾性部品は前記第一フックと前記第二フックを常態下において前記スライドブロックの係合槽及びガードに対応して抵触させ、隣接するフック部品には前記中レール上において前記スライドブロックに抵触する突起片が設置され、内レール固定部品は前記中レール上に可動接続し、前記内レール固定部品は突起フック及び第三弾性部品を含み、前記内レールは固定部が対応して設置され、前記第三弾性部品により前記突起フックを前記内レールの固定部に向かって圧迫することを特徴とする多段階式スライドレール自動復位装置。
【請求項７】
前記スライド台の固定部品は、小突起で、前記外レールの固定部品は嵌槽と制限片で、前記小突起は前記嵌槽に嵌入し、前記制限片下に係合することを特徴とする請求項６記載の多段階式スライドレール自動復位装置。
【請求項８】
前記スライド台の固定部品は、突起部で、前記外レールの固定部品は定位槽で、前記突起部は前記定位槽に嵌入することを特徴とする請求項６記載の多段階式スライドレール自動復位装置。
【請求項９】
前記スライド台の固定部品は、固定栓で、前記外レールの固定部品は固定孔で、前記固定栓は前記スライド台を貫通して連接し、前記固定孔において定位することを特徴とする請求項６記載の多段階式スライドレール自動復位装置。
【請求項１０】
前記スライド台の固定部品は、フック脚で、前記外レールの固定部品はフック槽で、前記フック脚は前記フック槽に係合することを特徴とする請求項６記載の多段階式スライドレール自動復位装置。
【請求項１１】
前記内レール固定部品の突起フックは、少なくとも一個以上であることを特徴とする請求項６記載の多段階式スライドレール自動復位装置。
【考案の詳細な説明】
【技術分野】
【０００１】
本考案は、一種の多段階式スライドレール自動復位装置に関する。特に、一種の内レール及び中レールにおいて収納位置に推し戻す行程の最終段階時に、自動的に外レール端部に引き戻され、自動回帰のスライドブロックが不注意により失敗した時には、再度操作し、正常を回復可能な多段階式スライドレール自動復位装置に係る。
【背景技術】
【０００２】
一般の引き出し或いはその類似物では、スライドレールにより水平スライド移動を行う時、引き出し展開或いは収納復位の全行程動作の多くは使用者が施力操作することにより完成される。この他には、スライドレールが自動復位する製品も市場に流通している。この種の自動回帰のスライドレールは、引き出しを押し戻す時、行程の最後の段階において自動的に引き出しを棚などの収蔵空間に完全に収納して閉めるものである。
【０００３】
上記の自動回帰スライドレールは、台湾特許公報では公告第１７９７９８号、第１９９３００号、第２２１７３１号、第２６５５６９号、第３４８４５３号、第４４４５５１号、第４６８４３７号、第４９３４０６号、第５０２５８８号、第５０４９８８号、第５２５４５３号、第５２５４５４号、第５３８７１５号、第５５１０８８号、第５５６５２３号、第５６６１２８号、第５６４７２０号、第Ｍ２４３１０５号、第Ｍ２４４８０６号、第Ｍ２４５８６５号、第Ｍ２４９５５９号、第Ｍ２５１５２４号、第Ｍ２５４１５０号、第Ｍ２６１１０２号、第Ｍ２６４９３２号、第Ｍ２６８９８４号、第Ｍ２７２４５４号、第Ｍ２７５７５５号、第Ｍ２８０７１５号、第Ｍ２８１５２４号、第Ｉ２３１７４９号、考案公開公報の公開の第２００４２５８５９号、第２００４２５８６１号、第２００５０００３２号、第２００５２０７１０号がある。また、米国特許中には特許第５０１５０４８号、第５０２０８６８号、第５０４０８３３号、第５０４０８５８号、第５２０７７８１号、第５２４０３１８号、第５３０２０１６号、第５３６４１７９号、第５４７４３７５号、第５５８０１３８号、第６２５４２０５  Ｂ１号、第６３４００７８  Ｂ１号、第６６２９７３８  Ｂ２号、第６６５２０５０  Ｂ２号、第６６７２６９２  Ｂ２号、第６７１２４３５  Ｂ２号、第６７３３０９７  Ｂ２号、第６７３６４７１  Ｂ２号、第６７９９８１７  Ｂ１号、第６８４６０５３  Ｂ２号、第６９５３２３３  Ｂ２号、第６９７１７２９  Ｂ１号と早期公開第２００４／０１８３４１１  Ａ１号、第２００４／０２３９２１８  Ａ１号、第２００５／０１０４４９２  Ａ１号、第２００５／０２３１０８３  Ａ１号及び欧州特許第０７４３０３２  Ｂ１号がある。
以上のように、スライドレールの自動回帰装置は使用者のニーズに符合しており、多くの業者が研究開発に心血を注いでいる。
【考案の開示】
【考案が解決しようとする課題】
【０００４】
本考案は、上記構造の問題点を解決する多段階式スライドレール自動復位装置を提供するものである。
【課題を解決するための手段】
【０００５】
上記課題を解決するため、本考案は、下記の多段階式スライドレール自動復位装置を提供する。
それは、主に、一種の多段階式スライドレール自動復位装置を提供し、内レール及び中レールにおいて収納位置に推し戻す行程の最終段階時に、該内レール及び該中レールを外レール端部に自動的に引き戻し、該内レール及び該中レールが引き伸ばされて該自動回帰のスライドブロックを連動する。
【０００６】
操作が不注意により失敗した時にも、再度押し戻しの動作を操作し、再び該自動回帰のスライドブロックを引き出すことができる。
本考案の構造は、スライドブロック、スライド台及びフック部品を含み、外レール及び中レールを組合せ実施し、該中レールは該外レールにおいてスライドし、該スライドブロックは側小突起、係合小突起、係合槽及びガードを含み、第一弾性部品により連結し、該スライド台は固定部品、スライド槽及び定位切口を含み、しかも、該外レールには固定部品を対応設置し、これにより、該スライド台は該外レール端部に固設され、スライドブロックは該側小突起により該スライド台のスライド槽内において嵌設スライドし、該第一弾性部品は該スライド台に設置し、これにより、該スライドブロックは引き戻され、該外レール端部の位置に対応し、該スライド台は該定位切口により該スライドブロックの係合小突起を対応させて一時的に係合して定位し、該フック部品は該中レール上に設置し、該スライドブロックに対応し、該フック部品は第一フック、第二フック、可動接続部及び第二弾性部品を含み、該可動接続部は該中レールに可動接続し、該第二弾性部品は該第一フックと該第二フックの内の一つを常態下において該スライドブロックの係合槽及びガードに対応して抵触させる。
【０００７】
また、本考案の構造は、スライドブロック、スライド台、フック部品及び内レール固定部品を含み、外レール及び中レールと内レールを組合せ実施し、該中レールは該外レールにおいてスライドし、該内レールは該中レール内において嵌設スライドし、該スライドブロックは側小突起、係合小突起、係合槽及びガードを含み、該第一弾性部品により連結し、該スライド台は固定部品、スライド槽及び定位切口を含み、しかも、該外レールには固定部品を対応設置し、これにより、該スライド台は該外レール端部に固設され、該スライドブロックは側小突起により該スライド台のスライド槽内において嵌設され、スライドし、該第一弾性部品は該スライド台に設置し、これにより、該スライドブロックは引き戻されて該外レール端部の位置に対応し、該スライド台は該定位切口により該スライドブロックの係合小突起を対応させて一時的に係合して定位し、該フック部品は該中レール上に設置し、該スライドブロックに対応し、該フック部品は第一フック、第二フック、可動接続部及び第二弾性部品を含み、該可動接続部は該中レールに可動接続し、該第二弾性部品は該第一フックと該第二フックの一つを常態下において該スライドブロックの係合槽及びガードに対応して抵触させ、該内レール固定部品は該中レール上に可動接続し、該内レール固定部品は突起フック及び第三弾性部品に対応し、しかも、内レールが対応して有する固定部を含み、該第三弾性部品の作用により該突起フックは該内レールの固定部に向かって圧迫する。
【０００８】
その内、スライド台の固定部品は小突起で、外レールの固定部品は嵌槽と制限片である。
その内、スライド台の固定部品は突起部で、外レールの固定部品は定位槽である。
その内、スライド台の固定部品は固定栓で、外レールの固定部品は固定孔である。
その内、スライド台の固定部品はフック脚で、外レールの固定部品はフック槽である。
その内、内レール固定部品の突起フックは少なくとも一個以上であることを特徴とする多段階式スライドレール自動復位装置である。
【考案の効果】
【０００９】
上記のように、本考案は、外レール、中レール及び内レールを含み、中レールにより副レールを連結し、該外レールにおいてスライドする製品で、本考案のフック部品はスライドブロックに対応して実施するため、その操作は便利で、内レール及び中レールを収納位置に推し戻す時、外レール端部を自動的に引き戻す動作はスムーズで、操作の失敗を防止するため、該自動回帰のスライドブロックはフック部品の弾性可動回転と連動により正常を回復し、しかも、該フック部品は最良の使用寿命を具える。
【考案を実施するための最良の形態】
【００１０】
図１から図３に示すように、本考案の一実施例による多段階式スライドレール自動復位装置は、スライドブロック１、スライド台２及びフック部品３を含み、外レール４及び中レール５を組合せ実施する。
該中レール５は該外レール４においてスライドし、該スライドブロック１は側小突起１１、係合小突起１２、係合槽１３及びガード１４を含み、第一弾性部品１５により連結する。
【００１１】
該スライド台２は固定部品（本実施例では、突起部２１、小突起２４及び固定栓２５）、スライド槽２２及び定位切口２３を含み、しかも、該外レール４には対応して固定部品（本実施例では、定位槽４１、嵌槽４２、制限片４３及び固定孔４４）を設置する。さらに、該スライド台２は該外レール４の端部（本実施例では、突起部２１は定位槽４１に嵌入し、小突起２４は嵌槽４２に嵌入し、しかも、小突起２４は制限片４３下において係合し、固定栓２５によりスライド台２を穿設し、固定孔４４において固定する）に設置する。該スライドブロック１は該側小突起１１により該スライド台２のスライド槽２２内において嵌入スライドし、該第一弾性部品１５は該スライド台２のスライド槽２２内に設置し、これにより、該スライドブロック１は引き戻されて該外レール４の端部の位置に対応する。該スライド台２は該定位切口２３により該スライドブロック１の係合小突起１２を対応して一時的に係合して定位し、該フック部品３は該中レール５上に設置し、該スライドブロック１に対応する。
【００１２】
該フック部品３は、第一フック３１、第二フック３２、可動接続部３３及び第二弾性部品３４を含む。該可動接続部３３は該中レール５と該副レール５１間に可動接続し、該第二弾性部品３４は該第一フック３１と該第二フック３２を常態下で該スライドブロック１の係合槽１３及びガード１４に対応して抵触させ、隣接するフック部品３には該中レール５において突起片５２を設置する（本実施例では、副レール５１が湾曲屈折して該突起片５２を成型する）。
【００１３】
正常な使用操作時には、図４に示すように、スライドレールが既に収納状態にある時、該スライドブロック１は第一弾性部品１５により引かれ、該スライド台２の後端に位置する。しかも、該フック部品３の第一フック３１と第二フック３２は該スライドブロック１の係合槽１３に係合し、かつ該ガード１４内側において制限され（第二フック３２によりガード１４において抵触し）、また、該スライドブロック１と該フック部品３の相互係合を利用し、該中レール５は該外レール４に収納された後、定位される。
【００１４】
図５では、該中レール５は該外レール４に対応して引き伸ばされ、該フック部品３は該スライドブロック１を連動し、該スライド台２内において該係合小突起１２が該スライド台２の定位切口２３前に位置するまでスライド移動させる。
図６では、該中レール５は該外レール４に相対して僅かな距離だけ引き伸ばされ、該係合小突起１２は該スライド台２の定位切口２３にスライド入して定位され、該フック部品３は該中レール５に従って継続して引き出される。
【００１５】
図７は、該中レール５を再度収納する操作指示を示す。該中レール５の收入後、該フック部品３の第一フック３１と第二フック３２は該スライドブロック１の係合槽１３内に再度進入可能で、しかも、該中レール５の突起片５２により該スライドブロック１を押す。これにより、該係合小突起１２は該スライド台２の定位切口２３を離脱し、しかも、該ガード１４は該フック部品３に抵触し、該第一弾性部品１５により該スライドブロック１及び該中レール５を引き戻し、自動復位させる。
【００１６】
操作に異常な状況が発生した場合、すなわち、例えば、外からの震動による該スライドブロック１の引き動き過程或いは定位後に不注意で該スライド台２後端を弾き戻してしまった場合など、該スライドブロック１の係合小突起１２のスライド台２に位置する定位切口２３の操作を失敗した時の状況を図８から図１１に示す。
【００１７】
図８は定位失敗の指示図で、この状況では、該スライドブロック１と該フック部品３は分離し、該スライドブロック１は弾性復位し、既に収納位置にある。この状況を排除するために、図９に示すように、該中レール５を押し戻す（当然、今回引き出し使用後にさらに押し戻すことができ、または、このように今回押し戻しを操作し、それでも自動的に復位作動しないが、次回再度引き出すことで、自動復位機能を回復する）。該フック部品３の偏転可能な機能により、該第一フック３１は該スライドブロック１のガード１４に抵触し、自動的に偏斜する。
【００１８】
さらに、図１０に示すように、該フック部品３の第一フック３１は該係合槽１３内に嵌入し、続いて、図１１に示すように、該中レール５及び該フック部品３を引き出し、該第一フック３１は該ガード１４を係合し、該スライドブロック１を引き出す。これにより、該スライドブロック１の係合小突起１２は再び該スライド台２の定位切口２３にスライド進入して定位を完成し、こうして、定位失敗の異常状況を解除する。
【００１９】
続いて、図１２及び図１３に示すように、本考案の他の実施例では、図１と同様に、スライドブロック１、スライド台２、フック部品３及び内レール固定部品７を含み、外レール４（図１と同一の構造であるため、詳述しない）及び中レール５Ａと内レール６Ａを組合せ実施する。
【００２０】
該スライドブロック１、該スライド台２及び該フック部品３の構造と実施状態は、前述の実施例と同一であるため詳述しない。
該内レール固定部品７は該中レール５Ａ上に可動接続し、しかも、該内レール固定部品７は該副レール５１Ａを穿通して揺動する。該内レール固定部品７は少なくとも一個以上の突起フック７１、第三弾性部品７２及び可動ピン７３を含み、該内レール固定部品７は可動ピン７３により該中レール５Ａに可動接続する。該内レール６Ａには固定部６１Ａを対応設置し、第三弾性部品７２の作用により、該突起フック７１は該内レール６Ａの固定部６１Ａに向かって圧迫する。
【００２１】
該内レール固定部品５Ａに関する操作状況は、図１４及び図１５に示す。
収納時には、図１４に示すように、該内レール６Ａはまだ完全に収納されておらず、該内レール固定部品７の突起フック７１はまだ該内レール６Ａの固定部６１Ａ位置に到達していない。
【００２２】
該固定部品７が該固定部６１Ａに移動する時には、図１５に示すように、該固定部６１Ａは該内レール固定部品７の突起フック７１を自動的に押上げ、直ちに、図１６に示すように、該内レール固定部品７は第三弾性部品７２の作用を受け、該突起フック７１は再び該内レール６Ａの固定部６１Ａに係合する。これにより、該内レール６Ａは該中レール５Ａに対応して収納状態に固定される。
【００２３】
また、図１７に示すように、該内レール固定部品７Ａが対応する第三弾性部品７２Ａは一種のトルクばねとすることができる。
さらに、図１８に示すように、スライド台２Ａの固定部品はまたフック脚２６Ａにより外レール４Ａ固定部品の一つのフック槽４５Ａに対応して固接することができる。
【００２４】
また、図１９、図２０及び図２１は、それぞれフック部品３Ａ、フック部品３Ｂ、フック部品３Ｃのその他実施可能な状態を示す。その内、図１９の第二弾性部品３５Ａは一種の弾性片体で、図２０の第二弾性部品３５Ｂは一種の引き伸ばしばねで、図２１に示す第二弾性部品３５Ｃは一種のトルクばねである。
【図面の簡単な説明】
【００２５】
【図１】本考案の一実施例による多段階式スライドレール自動復位装置の三段式スライドレールに応用した状態を示す分解斜視図である。
【図２】本考案の一実施例による多段階式スライドレール自動復位装置のスライド台を示す分解斜視図である。
【図３】本考案の一実施例による多段階式スライドレール自動復位装置のフック部品を示す分解斜視図である。
【図４】本考案の一実施例による多段階式スライドレール自動復位装置の完全収納時の状態を示す模式図である。
【図５】本考案の一実施例による多段階式スライドレール自動復位装置の正常状況でフック部品がスライドブロックを引き出した状態を示す模式図である。
【図６】本考案の一実施例による多段階式スライドレール自動復位装置の正常状況でスライドブロックが引き出されて定位される状態を示す模式図である。
【図７】本考案の一実施例による多段階式スライドレール自動復位装置の正常状況で収納時にスライドブロックが自動的に回帰した状態を示す模式図である。
【図８】本考案の一実施例による多段階式スライドレール自動復位装置のスライド台が弾性復位する状態を示す模式図である。
【図９】本考案の一実施例による多段階式スライドレール自動復位装置のフック部品がスライドブロックに抵触する状態を示す模式図である。
【図１０】本考案の一実施例による多段階式スライドレール自動復位装置のフック部品が改めてスライドブロックに嵌入する状況を示す模式図である。
【図１１】本考案の一実施例による多段階式スライドレール自動復位装置のフック部品がさらに引き出される状態を示す模式図である。
【図１２】本考案の他の実施例による多段階式スライドレール自動復位装置のフック部品及び内レール固定部品を示す分解斜視図である。
【図１３】本考案の他の実施例による多段階式スライドレール自動復位装置のフック部品及び内レール固定部品を示す分解斜視図である。
【図１４】本考案の他の実施例による多段階式スライドレール自動復位装置の固定部品が内レールに嵌合していない状態を示す模式図である。
【図１５】本考案の他の実施例による多段階式スライドレール自動復位装置の固定部品が内レールに嵌合した状態を示す模式図である。
【図１６】本考案の他の実施例による多段階式スライドレール自動復位装置の固定部品が完全に内レールに嵌合した状態を示す模式図である。
【図１７】本考案の他の実施例による多段階式スライドレール自動復位装置の第三弾性部品を示す斜視図である。
【図１８】本考案の他の実施例による多段階式スライドレール自動復位装置のスライド台を示す分解斜視図である。
【図１９】本考案の他の実施例による多段階式スライドレール自動復位装置のフック部品を示す斜視図である。
【図２０】本考案の他の実施例による多段階式スライドレール自動復位装置のフック部品を示す斜視体図である。
【図２１】本考案の他の実施例による多段階式スライドレール自動復位装置のフック部品を示す斜視図である。
【符号の説明】
【００２６】
１  スライドブロック、２  スライド台、２Ａ  スライド台、３  フック部品、３Ａ  フック部品、３Ｂ  フック部品、３Ｃ  フック部品、４  外レール、４Ａ  外レール、５  中レール、５Ａ  中レール、６Ａ  内レール、７  内レール固定部品、７Ａ  内レール固定部品、１１  側小突起、１２  係合小突起、１３  係合槽、１４  ガード、１５  第一弾性部品、２１  突起部、２２  スライド槽、２３  定位切口、２４  小突起、２５  固定栓、２６Ａ  フック脚、３１  第一フック、３２  第二フック、３３  可動接続部、３４  第二弾性部品、３５Ａ  第二弾性部品、３５Ｂ  第二弾性部品、３５Ｃ  第二弾性部品、４１  定位槽、４２  嵌槽、４３  制限片、４４  固定孔、４５Ａ  フック槽、５１  副レール、５１Ａ  副レール、５２  突起片、６１Ａ  固定部、７１  突起フック、７２  第三弾性部品、７３  可動ピン、７２Ａ  第三弾性部品
【図１】
0003120873.tif 000003
【図２】
0003120873.tif 000004
【図３】
0003120873.tif 000005
【図４】
0003120873.tif 000006
【図５】
0003120873.tif 000007
【図６】
0003120873.tif 000008
【図７】
0003120873.tif 000009
【図８】
0003120873.tif 000010
【図９】
0003120873.tif 000011
【図１０】
0003120873.tif 000012
【図１１】
0003120873.tif 000013
【図１２】
0003120873.tif 000014
【図１３】
0003120873.tif 000015
【図１４】
0003120873.tif 000016
【図１５】
0003120873.tif 000017
【図１６】
0003120873.tif 000018
【図１７】
0003120873.tif 000019
【図１８】
0003120873.tif 000020
【図１９】
0003120873.tif 000021
【図２０】
0003120873.tif 000022
【図２１】
0003120873.tif 000023